(57)【要約】【課題】取付作業が容易で、施工コストを低減できる手摺りの取付装置を提供する。【解決手段】手摺支柱２を嵌合させるホルダー部６と、ホルダー部６の下端から突出する棒状アンカー部材７とからなる支柱取付用アンカー８、及び手摺支柱２の下端に取り付けられる支柱根元カバー９を設け、アンカー挿通用開口部１０を形成した堰壁笠木１１を、堰壁１の頂部に取付金物１２を介して取り付け、堰壁笠木１１のアンカー挿通用開口部１０より挿通させた支柱取付用アンカー８の棒状アンカー部材７を、堰壁１に穿設したアンカー挿入穴１３に挿入して接着剤１４によりアンカー挿入穴１３に固着し、下端に支柱根元カバー９を取り付けた手摺支柱２を支柱取付用アンカー８のホルダー部６に嵌合し、支柱根元カバー９で堰壁笠木１１のアンカー挿通用開口部１０を覆うようにする。【選択図】図２
2006077513.tif 000002
【特許請求の範囲】
【請求項１】
手摺りをベランダ等の堰壁上に取り付けるにあたり、手摺支柱を嵌合させるホルダー部とこのホルダー部の下端から突出する棒状アンカー部材とからなる支柱取付用アンカー、及び手摺支柱の下端に取り付けられる支柱根元カバーを設け、上面にアンカー挿通用開口部を形成した堰壁笠木を、堰壁の頂部に取付金物を介して取り付け、堰壁笠木のアンカー挿通用開口部より挿通させた支柱取付用アンカーの棒状アンカー部材を、堰壁に穿設したアンカー挿入穴に挿入して、接着剤により棒状アンカー部材をアンカー挿入穴に固着し、下端に支柱根元カバーを取り付けた手摺支柱を支柱取付用アンカーのホルダー部に嵌合して固定すると共に、支柱根元カバーによって堰壁笠木のアンカー挿通用開口部を覆うようにしてなる手摺り取付装置。
【請求項２】
堰壁笠木のアンカー挿通用開口部には開口部周縁から立ち上がる水切り壁を形成してなる請求項１に記載の手摺り取付装置。
【請求項３】
手摺支柱の下端面と、これに取り付ける支柱根元カバーの取付用支持面との間にパッキンを介在させて、カバー側から手摺支柱側にビスをねじ込むことにより、支柱根元カバーを手摺支柱に取り付けてなる請求項１又は２に記載の手摺り取付装置。
【発明の詳細な説明】
【技術分野】
【０００１】
本発明は、ベランダや屋上等の堰壁上に取り付ける手摺りの取付装置に関する。
【背景技術】
【０００２】
従来の手摺りの取付装置として、例えば特許文献１に記載されたものがある。これは、この手摺り取付装置は、堰壁頂部に取付け固定するアンカー金具に、支柱嵌挿杆を垂直に植設すると共に、支柱嵌挿杆の途中に笠木受け板を固設し、アンカー金具を堰壁頂部に固着すると共に、支柱嵌挿杆を手摺支柱内に嵌合し、ボルトを手摺支柱から支柱嵌挿杆に横方向に通すことにより固着して手摺支柱を立設すると共に、手摺支柱を通す穴を有する堰壁笠木を支柱嵌挿杆の笠木受け板に重合して、堰壁笠木を堰壁頂部に冠着するようにしたものである。
【特許文献１】実公平３−３５７８７号公報
【発明の開示】
【発明が解決しようとする課題】
【０００３】
上記特許文献１に記載されたような取付装置では、部材点数が多く、取付作業に手間がかかる、という問題があった。このような問題を解決するために、本発明は、部材点数が少なく、取付作業が容易で、施工コストを低減できる手摺りの取付装置を提供することを目的とする。
【課題を解決するための手段】
【０００４】
上記課題を解決するための手段を、後述する実施形態の参照符号を付して説明すると、請求項１に係る発明は、手摺りＴをベランダ等の堰壁１上に取り付けるにあたり、手摺支柱２を嵌合させるホルダー部６とこのホルダー部６の下端から突出する棒状アンカー部材７とからなる支柱取付用アンカー８、及び手摺支柱２の下端に取り付けられる支柱根元カバー９を設け、上面にアンカー挿通用開口部１０を形成した堰壁笠木１１を、堰壁１の頂部に取付金物１２を介して取り付け、堰壁笠木１１のアンカー挿通用開口部１０より挿通させた支柱取付用アンカー８の棒状アンカー部材７を、堰壁１に穿設したアンカー挿入穴１３に挿入して、接着剤１４により棒状アンカー部材７をアンカー挿入穴１３に固着し、下端に支柱根元カバー９を取り付けた手摺支柱２を支柱取付用アンカー８のホルダー部６に嵌合して固定すると共に、支柱根元カバー９によって堰壁笠木１１のアンカー挿通用開口部１０を覆うようにしてなることを特徴とする。
【０００５】
請求項２は、請求項１に記載の手摺り取付装置において、堰壁笠木１１のアンカー挿通用開口部１０には開口部１０周縁から立ち上がる水切り壁１８を形成してなることを特徴とする。
【０００６】
請求項３は、請求項１又は２に記載の手摺り取付装置において、手摺支柱２の下端面２ａと、これに取り付ける支柱根元カバー９の取付用支持面１５との間にパッキン１６を介在させて、カバー９側から手摺支柱２側にビス１７をねじ込むことにより、支柱根元カバー９を手摺支柱２に取り付けてなることを特徴とする。
【発明の効果】
【０００７】
上記解決手段による発明の効果を、後述する実施形態の参照符号を付して説明すると、請求項１に係る発明によれば、手摺支柱２を嵌合させるホルダー部６と、このホルダー部６の下端から突出する棒状アンカー部材７とからなる支柱取付用アンカー８、及び手摺支柱２の下端部に取り付けられる支柱根元カバー９を設けておいて、上面にアンカー挿通用開口部１０を形成した堰壁笠木１１を、堰壁１の頂部に取付金物１２を介して取り付け、堰壁笠木１１のアンカー挿通用開口部１０より挿通させた支柱取付用アンカー８の棒状アンカー部材７を、堰壁１に穿設したアンカー挿入穴１３に挿入して、接着剤１４により棒状アンカー部材７をアンカー挿入穴１３に固着し、下端に支柱根元カバー９を取り付けた手摺支柱２を支柱取付用アンカー８のホルダー部６に嵌合固定すると共に、支柱根元カバー９によって堰壁笠木１１のアンカー挿通用開口部１０を覆うようにしたもので、部材点数が少ないから、手摺支柱２及び堰壁笠木１１を堰壁１上に簡単容易に取り付けることができ、手摺りＴの取付作業が容易となって、施工コストの低減化を図ることができ、そして支柱根元カバー９によって、堰壁笠木１１のアンカー挿通用開口部１０からの雨水等の内部侵入を阻止し、支柱取付用アンカー８等の腐食を防止することができる。
【０００８】
請求項２に係る発明によれば、堰壁笠木１１のアンカー挿通用開口部１０には開口部１０の周縁から立ち上がる水切り壁１８が形成されているから、雨水等が、手摺支柱２下端部の支柱根元カバー９を通り抜けて、そのカバー９内部に侵入したとしても、水切り壁１８によって堰壁笠木１１内部への侵入が確実に阻止される。
【０００９】
請求項３に係る発明によれば、支柱根元カバー９の開口部９ａ周辺がパッキン１６によって水密シールされるから、手摺支柱２下端の支柱根元カバー９の取付部から雨水等が侵入することがない。
【発明を実施するための最良の形態】
【００１０】
以下に本発明の好適な実施形態を図面に基づいて説明すると、図１は建物のベランダに設置された手摺りＴを室外側から見た正面図、図２は図１に示す手摺りＴの取付装置の一部縦断面側面図で、図面の右側がベランダの内側、左側がベランダの外側である。図３は図２のイ−イ線断面図である。この手摺りＴは、ベランダの外縁部に突設されたコンクリート製の堰壁１に手摺支柱２を一定間隔おきに立設し、各手摺支柱２に上下横枠３，４を連結すると共に、上下上下横枠３，４間に縦桟５を一定間隔おきに配設してなるものである。
【００１１】
手摺りＴの取付装置は、図１及び図２から分かるように、手摺支柱２を嵌合させるホルダー部６とこのホルダー部６の下端から突出する２本の棒状アンカー部材７，７とからなる支柱取付用アンカー８、及び手摺支柱２の下端に取り付けられる支柱根元カバー９を設けておいて、上面にアンカー挿通用開口部１０を長手方向一定間隔おきに形成した堰壁笠木１１を、堰壁１の頂部に取付金物１２を介して取り付け、堰壁笠木１１のアンカー挿通用開口部１０より挿通させた支柱取付用アンカー８の棒状アンカー部材７を、堰壁１に穿設したアンカー挿入穴１３に挿入して、接着剤１４により棒状アンカー部材７をアンカー挿入穴１３に固着し、そして下端に根元カバー９を取り付けた手摺支柱２を、支柱取付用アンカー８のホルダー部６に嵌合して固定すると共に、支柱根元カバー９によって堰壁笠木１１のアンカー挿通用開口部１０を覆うようにしてなるものである。
【００１２】
上記取付装置の構造について図４〜図７を参照して詳しく説明すれば、図４の(a) は手摺支柱２の正面図、(b) は手摺支柱２の横断面図、(c) は支柱取付用アンカー８を構成するホルダー部６及びこのホルダー部６に取り付けられる２本の棒状アンカー部材７を互いに切り離した状態で示す正面図、(d) はホルダー部６の横断面図である。また図５の(a)
は支柱根元カバー９を示す平面図、(b) は(a) のロ−ロ線断面図である。図６は手摺支柱２、この手摺支柱２の下端に取り付けられる支柱根元カバー９、手摺支柱２の下端面と支柱根元カバー９の上端面との間に介挿されるパッキン１６、及び取付用のビス１７を互いに切り離した状態で示す正面図であり、図７の(a) は堰壁笠木１１の一部を示す平面図、(b) は(a) のハ−ハ線断面図である。
【００１３】
手摺支柱２は、図４の(b) に示すような断面形状のアルミ押出型材からなる角筒材であって、内部の四隅部にビスホール２ａを形成している。支柱取付用アンカー８のホルダー部６は、図４の(b) 及び(d) から分かるように（(b) にホルダー部６を仮想線で示す）、手摺支柱２内に嵌合可能な断面形状のアルミ押出型材からなるもので、内部の両端部側に一対のビスホール６ａ，６ａを形成していて、このビスホール６ａ，６ａに、夫々ボルトからなる２本の棒状アンカー部材７，７の夫々一端部をねじ込むことにより、ホルダー部６の下端から２本の棒状アンカー部材７，７を所要長さ突出させるようになっている。
【００１４】
支柱取付用アンカー８の棒状アンカー部材７はボルト（鋼製）からなるため、このボルトをアルミ押出型材からなるホルダー部６のビスホール６ａにねじ込むことによって、ホルダー部６に対し簡単に取り付け固定するとこができる。この棒状アンカー部材７としては、ボルト以外に、鉄筋などを用いることができるが、ホルダー部６に対する取付けが面倒であるため、ボルトが好ましい。また、棒状アンカー部材７としてボルトを用いた場合は、アンカー挿入穴１３に注入される接着剤の食い付きも良い。
【００１５】
支柱根元カバー９は、手摺支柱２の下端に予め取り付けられるもので、アルミ押出型材によって略々スカート状に形成されていて、上端開口部９ａの周辺には、手摺支柱２の下端面２ａに当接する取付用支持面１５が形成され、この取付用支持面１５の四隅部には手摺支柱２のビスホール２ａと対応する位置に、支柱根元カバー９を手摺支柱２の下端部にビス止めするためのビス取付台座１５ａが形成されている。また支柱根元カバー９は、堰壁笠木１１のアンカー挿通用開口部１０を覆うものであるから、当然のことながら、下端開口部９ｂは、堰壁笠木１１のアンカー挿通用開口部１０より径大に形成されている。
【００１６】
しかして、この支柱根元カバー９を手摺支柱２に取り付けるには、図６に示すように、上端部の取付用支持面１５と手摺支柱２の下端面２ａとの間にパッキン１６を介在させ、支柱根元カバー９の下方よりビス１７を取付用支持面１５のビス取付台座１５ａ側からパッキン１６を貫通して手摺支柱２のビスホール２ａにねじ込み、締め付けることによって支柱根元カバー９を手摺支柱２の下端に取付け固定する。この支柱根元カバー９の上端開口部９ａ周辺はパッキン１６によって水密シールされる。
【００１７】
堰壁笠木１１は、図２、図３及び図７の(a) ，(b) に示すように、アルミ押出型材によって形成された断面略下向きコ字状の長尺板材からなるもので、外側板部１１ｃを内側板部１１ｂよりも高くして天板部１１ａの屋内側が低くなるよう緩傾斜させることにより、天板部１１ａに水切り性を与えている。この堰壁笠木１１の天板部１１ａに開口されたアンカー挿通用開口部１０には、開口部周縁から立ち上がる水切り壁１８を形成している。また、堰壁笠木１１の内側板部１１ｂ及び外側板部１１ｃの夫々下端部には夫々内向きに略水平に突出する係止部１９，２０が形成されている。尚、堰壁笠木１１の天板部１１ａが上記のように水切り傾斜面を形成していることから、手摺支柱２の下端面２ａは、堰壁笠木１１の天板部１１ａの水切り傾斜面に対応する傾斜面に形成され、しかして支柱根元カバー９の下端面は、図６に示すように、その天板部１１ａの水切り傾斜面に当接することになる。
【００１８】
堰壁笠木１１を堰壁１の頂部に取り付け固定する取付金物１２は、図２に示すように、ボルト挿通孔（図示せず）を有する水平基板１２ａと、水平基片１２ａの両端部に突設された立上部１２ｂ，１２ｃと、両立上部１２ｂ，１２ｃより夫々下向きに延設された内側及び外側支持片１２ｄ，１２ｅとからなる周知構造のもので、ステンレス等により形成される。
【００１９】
上記のような構成よりなる手摺りＴの取付方法について、図８〜図１０を中心に他の図面を参照して説明すれば、先ず、図８の(a) に示すように、コンクリート製堰壁１の上面の手摺支柱立設箇所にドリル等によってアンカー挿入穴１３，１３を穿設し、各アンカー挿入穴１３１３内に残っている砂塵等を排除した後、各アンカー挿入穴１３に接着剤１４を注入充填する。尚、接着剤１４としては、金属及びコンクリートに有効な普通の接着剤に限らず、例えばエポキシ樹脂のような熱可塑性樹脂を溶融したものでもよい。
【００２０】
それから、図８の(b) に示すように、堰壁１上面の、アンカー挿入穴１３の設けられていない所要箇所に取付金物１２を所定間隔おきにアンカーボルト２１によって取り付け、そしてこれらの取付金物１２に堰壁笠木１１を被嵌し、取付金物１２の内外支持片１２ｄ，１２ｅの夫々下端部を堰壁笠木１１の内外側板部１１ｂ，１１ｃの係止部１９，２０に係止させて固定し、図９に示す状態とする。この時、堰壁笠木１１は、アンカー挿通用開口部１０が堰壁１のアンカー挿入穴１３の真上に位置するように取り付ける。
【００２１】
しかして、図９及び図１０に示すように、支柱取付用アンカー８の棒状アンカー部材７，７を堰壁笠木１１のアンカー挿通用開口部１０を通して堰壁１のアンカー挿入穴１３，１３に挿入すると共に、ホルダー部６をアンカー挿通用開口部１０より挿通して、その下端面を堰壁１の上面に当接支持させ、棒状アンカー部材７は、アンカー挿入穴１３に注入充填された接着剤によって、アンカー挿入穴１３に固着し、これによって支柱取付用アンカー８を堰壁１上に鉛直状に立設固定する。
【００２２】
上記のように支柱取付用アンカー８を堰壁１上に立設固定した後、図１０に示すように、下端に支柱根元カバー９を取り付けた手摺支柱２を、支柱取付用アンカー８ーのホルダー部６に嵌合すると共に、手摺支柱２の下端の支柱根元カバー９によって堰壁笠木１１のアンカー挿通用開口部１０を覆うようにする。そして、図１０に示すように、手摺支柱２の側壁部からビス２２を支柱取付用アンカー８のホルダー部６の上下複数箇所にねじ込んで、手摺支柱２をホルダー部６に固定する。これによって、手摺支柱２を堰壁１上に鉛直状に立設固定する。
【００２３】
上記のようにして手摺支柱２をコンクリート堰壁１上の所定位置に立設したならば、各手摺支柱２に上下横枠３，４を連結し、上下横枠３，４間に縦桟５を一定間隔おきに配設することによって、図１に示すような手摺りＴが設置されることになる。尚、手摺支柱２に対する上下横枠３，４の連結構造ならびに上下横枠３，４間への縦桟５の取付構造については説明及び図示を省略する。
【００２４】
以上説明したような手摺りＴの取付構造によれば、手摺支柱２を嵌合させるホルダー部６と、このホルダー部６の下端から突出する棒状アンカー部材７とからなる支柱取付用アンカー８、及び手摺支柱２の下端部に取り付けられる支柱根元カバー９を設けておいて、上面にアンカー挿通用開口部１０を形成した堰壁笠木１１を、堰壁１の頂部に取付金物１２を介して取り付け、堰壁笠木１１のアンカー挿通用開口部１０より挿通させた支柱取付用アンカー８の棒状アンカー部材７を、堰壁１に穿設したアンカー挿入穴１３に挿入して、接着剤１４により棒状アンカー部材７をアンカー挿入穴１３に固着し、下端に支柱根元カバー９を取り付けた手摺支柱２を支柱取付用アンカー８のホルダー部６に嵌合して固定すると共に、支柱根元カバー９によって堰壁笠木１１のアンカー挿通用開口部１０を覆うようにしたもので、部材点数が少ないから、手摺支柱２及び堰壁笠木１１を堰壁１上に簡単容易に取り付けることができて、手摺りＴの取付作業が容易となり、施工コストの低減化を図ることができ、そして支柱根元カバー９によって、堰壁笠木１１のアンカー挿通用開口部１０からの雨水等の内部侵入を阻止し、支柱取付用アンカー８等の腐食を防止することができる。
【００２５】
また、堰壁笠木１１のアンカー挿通用開口部１０には開口部１０の周縁から立ち上がる水切り壁１８が形成されているから、雨水等が、手摺支柱２下端部の支柱根元カバー９を通り抜けて、そのカバー９内部に侵入したとしても、水切り壁１８によって堰壁笠木１１内部への侵入が確実に阻止される。
【図面の簡単な説明】
【００２６】
【図１】ベランダに設置された手摺りを室外側から見た正面図である。
【図２】図１に示す手摺りの取付装置の一部縦断面側面図である。
【図３】図２のイ−イ線断面図である。
【図４】(a) は手摺支柱２の正面図、(b) は手摺支柱２の横断面図、(c) は支柱取付用アンカーのホルダー部及びこのホルダー部に取り付けられる２本の棒状アンカー部材を示す正面図、(d) はホルダー部の横断面図である。
【図５】(a) は支柱根元カバーを示す平面図であり、(b) は(a) のロ−ロ線断面図である。
【図６】手摺支柱及びこれの下端に取り付けられる支柱根元カバーを示す取付状態説明図である。
【図７】(a) は堰壁笠木の一部を示す平面図であり、(b) は(a) のハ−ハ線断面図である。
【図８】手摺りの取付方法を最初の段階を示す説明図である。
【図９】手摺りの取付方法の次の段階を示す説明図である。
【図１０】手摺りの取付方法の最終段階を示す説明図である。
【符号の説明】
【００２７】
Ｔ          手摺り
１          堰壁
２          手摺支柱
６          支柱取付用アンカーのホルダー部
７          支柱取付用アンカーの棒状アンカー部材
８          支柱取付用アンカー
９          支柱根元カバー
１０        アンカー挿通用開口部
１１        堰壁笠木
１２        取付金物
１３        アンカー挿入穴
【図１】
2006077513.tif 000003
【図２】
2006077513.tif 000004
【図３】
2006077513.tif 000005
【図４】
2006077513.tif 000006
【図５】
2006077513.tif 000007
【図６】
2006077513.tif 000008
【図７】
2006077513.tif 000009
【図８】
2006077513.tif 000010
【図９】
2006077513.tif 000011
【図１０】
2006077513.tif 000012